(57)【要約】【課題】バッテリの脱落防止用の部品を追加せずにバッテリの脱落を防止することができるプリンタを提供する。【解決手段】プリンタ２１は、筐体２２と、前記筐体に回動自在に取り付けられる回動部材３０と、筐体上に形成され、回動部材の回転軸３３を回動自在に支持する固定部４０とを備え、固定部及び回動部材の一方は、回転軸の周囲に形成され、回動部材及び固定部の他方と接触可能な突起４２，３８とを有し、固定部及び回動部材の他方は、回転軸の周囲に形成され突起と接触しない凹部５１，４３と、回転軸の周囲に形成され突起と接触しつつ回動部材の回転を許容する平坦部５２，４４と、回転軸の周囲に形成され突起と接触し回動部材の回転を規制する規制部５３，４５とを有する。【選択図】図５
2018126976.tif 000002
【特許請求の範囲】
【請求項１】
筐体と、
前記筐体に回動自在に取り付けられる回動部材と、
前記筐体上に形成され、前記回動部材の回転軸を回動自在に支持する固定部とを備え、
前記固定部及び前記回動部材の一方は、前記回転軸の周囲に形成され、前記回動部材及び前記固定部の他方と接触可能な突起とを有し、
前記固定部及び前記回動部材の他方は、前記回転軸の周囲に形成され前記突起と接触しない凹部と、前記回転軸の周囲に形成され前記突起と接触しつつ前記回動部材の回転を許容する平坦部と、前記回転軸の周囲に形成され前記突起と接触し前記回動部材の回転を規制する規制部とを有することを特徴とするプリンタ。
【請求項２】
前記凹部は前記平坦部から掘り下げられた位置に形成され、前記規制部は前記平坦部から突出するように形成されていることを特徴とする請求項１に記載のプリンタ。
【請求項３】
前記凹部と前記平坦部との接合面は傾斜していることを特徴とする請求項１又は２に記載のプリンタ。
【請求項４】
前記回動部材は、当該回動部材に移動可能に固定されるバッテリカバーが半開きである場合に、前記筐体から飛び出るバッテリと接触する他の突起、凹み又は凹凸を備えることを特徴とする請求項１乃至３のいずれか１項に記載のプリンタ。
【発明の詳細な説明】
【技術分野】
【０００１】
本発明は、プリンタに関する。
【背景技術】
【０００２】
図１（Ａ）はプリンタの斜視図である。図１（Ｂ）は、バッテリ収容部の概略構成図である。図１（Ｃ）は、バッテリーロックの構成図である。
【０００３】
図１のプリンタ１はモバイルプリンタであり、筐体２、上カバー３、バッテリカバー４、収容部５及びバッテリーロック６を備えている。バッテリカバー４は筐体２の側面に回動可能に固定されている。収容部５はバッテリ７が収容される空間である。バッテリーロック６は、図１（Ｃ）に示すようにテーパ６ａを備えている。バッテリーロック６はばね８の一端に固定され、ばね８の他端は上カバー３の裏面に固定されている。ばね８はバッテリーロック６を図１（Ｂ）の下向きに付勢する。これによりテーパ６ａはバッテリ収容部５に向けて突出する。
【０００４】
バッテリ７を収容部５に挿入する場合には、ユーザは収容部５に向けてバッテリ７を押し込む。このとき、バッテリ７がテーパ６ａに接触しバッテリーロック６は図１（Ｂ）の上向きに移動するので、バッテリ７を収容部５に挿入することができる。バッテリ７が収容部５に完全に挿入されると、バッテリーロック６がばね８に付勢され、テーパ６ａが収容部５に向けて突出する。これにより、バッテリ７が収容部５に保持され、バッテリ７の脱落を防止できる。
【０００５】
図２（Ａ）は別のプリンタの斜視図である。図２（Ｂ）は、バッテリカバーを外した状態の別のプリンタの斜視図である。図２（Ｃ）は、ひっくり返した状態の図２（Ｂ）のプリンタの斜視図である。図２（Ａ）〜（Ｃ）のプリンタは、例えば、特許文献１に記載されている。
【０００６】
図２（Ａ）のプリンタ１１は、筐体１２、操作部１３及びバッテリカバー１４を備えている。バッテリカバー１４を外すと、図２（Ｂ）に示すように収納部１５が露出される。筐体１２の底面には、貫通孔１６が形成されている。
【０００７】
さらに、プリンタ１１は、図２（Ｃ）に示す保持部材１８を備えている。保持部材１８は筐体１２の底面に装着され、筐体１２の底面から図２（Ｃ）に示すＡ方向に取り外すことができる。保持部材１８には、図２（Ｂ）に示す略台形形状の突起１７が形成されている。保持部材１８が筐体１２の底面に装着されると、図２（Ｂ）に示すように突起１７は貫通孔１６に挿入されて収納部１５内に現れ、バッテリ１０の脱落を防止することができる。
【先行技術文献】
【特許文献】
【０００８】
【特許文献１】特開２００９−１９０４１３号公報
【発明の概要】
【発明が解決しようとする課題】
【０００９】
上記プリンタ１では、バッテリ７の脱落を防止するために、バッテリーロック６及びばね８を設けなければならず、部品数が増加する。また、プリンタ１の小型化が要求された場合に、バッテリーロック６及びばね８をプリンタに搭載できないおそれもある。
【００１０】
上記プリンタ１１では、バッテリ１０の脱落を防止するために保持部材１８を設けなければならず、部品数が増加する。また、バッテリ１０の着脱の際に保持部材１８も筐体１２に取り付けたり又は筐体１２から取り外さなければならず、バッテリ１０の着脱の操作性が悪いという課題がある。
【００１１】
本発明の目的は、バッテリの脱落防止用の部品を追加せずにバッテリの脱落を防止することができるプリンタを提供することにある。
【課題を解決するための手段】
【００１２】
上記目的を達成するため、明細書に開示されたプリンタは、筐体と、前記筐体に回動自在に取り付けられる回動部材と、前記筐体上に形成され、前記回動部材の回転軸を回動自在に支持する固定部とを備え、前記固定部及び前記回動部材の一方は、前記回転軸の周囲に形成され、前記回動部材及び前記固定部の他方と接触可能な突起とを有し、前記固定部及び前記回動部材の他方は、前記回転軸の周囲に形成され前記突起と接触しない凹部と、前記回転軸の周囲に形成され前記突起と接触しつつ前記回動部材の回転を許容する平坦部と、前記回転軸の周囲に形成され前記突起と接触し前記回動部材の回転を規制する規制部とを有することを特徴とする。
【発明の効果】
【００１３】
本発明によれば、バッテリの脱落防止用の部品を追加せずにバッテリの脱落を防止することができる。
【図面の簡単な説明】
【００１４】
【図１】（Ａ）はプリンタの斜視図である。（Ｂ）は、バッテリ収容部の概略構成図である。（Ｃ）は、バッテリーロックの構成図である。
【図２】（Ａ）は別のプリンタの斜視図である。（Ｂ）は、バッテリカバーを外した状態の別のプリンタの斜視図である。（Ｃ）は、ひっくり返した状態の図２（Ｂ）のプリンタの斜視図である。
【図３】（Ａ）は、本実施の形態に係るプリンタの斜視図である。（Ｂ）は、バッテリカバーが半開きのプリンタの斜視図である。（Ｃ）は、バッテリがバッテリカバーに接触した状態を示す図である。
【図４】（Ａ）は、バッテリカバーが全開のプリンタの斜視図である。（Ｂ）は、バッテリカバーの裏面の構造図である。
【図５】（Ａ）は、固定部の構成図である。（Ｂ）は、回動部材の構成図である。（Ｃ）は、固定部及び回動部材の係合状態を示す模式図である。
【図６】（Ａ）は、回動部材の第１変形例を示す図である。（Ｂ）は、第１変形例に係る回動部材が装着されたプリンタの斜視図である。（Ｃ）は、回動部材の凹部の変形例を示す図である。
【図７】（Ａ）は、回動部材の第２変形例を示す図である。（Ｂ）は、固定部の第１変形例を示す図である。
【図８】（Ａ）は、回動部材の第３変形例を示す図である。（Ｂ）は、固定部の第２変形例を示す図である。
【発明を実施するための形態】
【００１５】
以下、図面を参照しながら本発明の実施の形態を説明する。
【００１６】
図３（Ａ）は、本実施の形態に係るプリンタの斜視図である。図３（Ｂ）は、バッテリカバーが半開きのプリンタの斜視図である。図３（Ｃ）は、バッテリがバッテリカバーに接触した状態を示す図である。以下では、便宜上、図３（Ａ）に示すように前後左右方向および上下方向を定義する。
【００１７】
図３（Ａ）に示すプリンタ２１は、筐体２２、カバー２３、オープンレバー２４、操作パネル２５、バッテリカバー２６及びロックレバー２７を備えている。カバー２３はプリンタ２１内に収納されるロール紙を覆い、筐体２２に開閉自在に固定されており、オープンレバー２４を押下するとＡ方向に開くことができる。ロックレバー２７は上下にスライド可能にバッテリカバー２６に固定されている。ロックレバー２７を下側に移動させると、図３（Ｂ）に示すようにバッテリカバー２６を開くことができ、ロックレバー２７を上側に移動させると、バッテリカバー２６を閉じた状態で筐体２２に固定することができる。バッテリカバー２６は、図３（Ｂ）に示すようにＢ方向に開閉する。バッテリカバー２６を開くと、バッテリ２９を収納するための収納部２８が現れる。バッテリカバー２６が半開きであると、図３（Ｃ）の領域Ｃに示すように、バッテリ２９がバッテリカバー２６に接触し、バッテリ２９の脱落を防止できる。
【００１８】
図４（Ａ）は、バッテリカバー２６が全開のプリンタ２１の斜視図である。図４（Ｂ）は、バッテリカバー２６の裏面の構造図である。
【００１９】
ロックレバー２７の上端には凸部２７ａが形成されている。バッテリカバー２６を閉じてロックレバー２７を上側に移動させると、凸部２７ａが収納部２８の上に位置する筐体２２の側面の一部と係合する。これにより、バッテリカバー２６は筐体２２の側面に固定される。
【００２０】
また、バッテリカバーの裏面には、軸３５が挿入される溝３７と、軸３５を固定するストッパー３６とが形成されている。
【００２１】
図４（Ａ）に示すように、筐体２２の側面には、回動部材３０を回動自在に固定するための固定部４０が形成されている。回動部材３０は、軸３３を挿通するための貫通孔３１と、軸３５を挿通し、軸３５を図４（Ａ）の左右方向に移動可能に支持する貫通長孔３２とを有する。貫通孔３１に挿入された軸３３の両端は、固定部４０に固定される。これにより、回動部材３０は固定部４０に回動自在に固定される。貫通長孔３２に挿入された軸３５の両端は、溝３７及びストッパー３６によりバッテリカバー２６の裏面に固定される。軸３５は貫通長孔３２内で左右方向に移動可能なので、軸３５を装着したバッテリカバー２６は、回動部材３０に対して図４（Ｂ）の左右方向に移動可能に固定される。
【００２２】
図５（Ａ）は、固定部４０の構成図である。図５（Ｂ）は、回動部材３０の構成図である。図５（Ｃ）は、固定部４０及び回動部材３０の係合状態を示す模式図である。
【００２３】
図５（Ａ）に示すように、回動部材３０と対向する固定部４０の面には、軸３３を挿入するための孔４１と、回動部材３０と接触可能な突起４２が形成されている。図５（Ａ）では上側の固定部４０が孔４１及び突起４２を備えている。下側の固定部４０も、孔４１を備えている。突起４２については、上側の固定部４０及び下側の固定部４０の少なくとも一方が備えていればよい。
【００２４】
図５（Ｂ）に示すように、固定部４０と対向する回動部材３０の貫通孔３１の周辺には、突起４２と接触しない凹部５１と、突起４２と接触しつつ回動部材３０の回転を許容する平坦部５２と、突起４２と接触し回動部材３０の回転を規制する規制部５３とが形成されている。凹部５１は平坦部５２から掘り下げられ平坦部５２よりも低い位置に形成され、規制部５３は平坦部５２から垂直に突出するように形成されている。突起４２が凹部５１から平坦部５２に移動しやすいように、凹部５１と平坦部５２との接合面５４は傾斜している。
【００２５】
図５（Ｃ）の左図に示すように、突起４２が凹部５１内にある場合には、突起４２は凹部５１に接触しないので、回動部材３０は滑らかに回動する。このとき、バッテリカバー２６は半開きである。突起４２が接合面５４に到達すると、回動部材３０及びバッテリカバー２６の開動作は一旦停止する。プリンタ２１内部のバッテリ端子に押し出されるバッテリ２９は、回動部材３０によってＤ方向（バッテリ２９の押し出し方向）の動きが阻害されるため、バッテリ２９の脱落を防止できる。
【００２６】
突起４２が接合面５４に到達し、さらにユーザが回動部材３０又はバッテリカバー２６を全開方向Ｅに押し込むと、図５（Ｃ）の右図に示すように突起４２が接合面５４を超えて平坦部５２に入る。突起４２は平坦部５２と接触するが、押し込む力によって回動部材３０は回転することができ、突起４２が規制部５３の一端に到達すると回動部材３０の回転は停止する。このとき、バッテリカバー２６は全開であるので、バッテリ２９を取り出すことができる。
【００２７】
図６（Ａ）は、回動部材３０の第１変形例を示す図である。図６（Ｂ）は、第１変形例に係る回動部材３０が装着されたプリンタ２１の斜視図である。図６（Ｃ）は、回動部材３０の凹部５１の変形例を示す図である。
【００２８】
図６（Ａ）に示すように、バッテリカバー２６が閉じられたときにバッテリ２９と対向する回動部材３０の面５６に、バッテリ脱落防止用の突起５５を形成してもよい。このとき、突起５５は、貫通孔３１が形成されている回動部材３０の一端と反対側の他端に形成される。突起５５の形状は図６（Ａ）に示す形状に限定されるものではない。図６（Ｂ）に示すように、バッテリカバー２６が半開きである場合バッテリ２９が突起５５に接触するので、バッテリ２９の脱落を防止できる。尚、突起５５の代わりに、回動部材３０の面５６に凹み又は凹凸を形成してもよい。
【００２９】
図６（Ａ）の例では、回動部材３０の面５６に突起５５を形成したが、バッテリ２９と面５６との摩擦を高くするために、面５６上に摩擦抵抗の大きいテープを貼り付けてもよいし、又は面５６上に凹凸の表面処理を施してもよい。
【００３０】
また、図６（Ｃ）に示すように、回動部材３０の凹部５１の位置及び大きさを変更してもよい。図６（Ｃ）右側の図では、左側の図と比較して凹部５１の幅が狭くなっている。このように凹部５１の位置及び大きさを変更することで、半開き時のバッテリカバー２６の開く角度を調整することができる。
【００３１】
図７（Ａ）は、回動部材３０の第２変形例を示す図である。図７（Ｂ）は、固定部４０の第１変形例を示す図である。
【００３２】
図５（Ａ），（Ｂ）では、固定部４０が突起４２を有し、回動部材３０が凹部５１、平坦部５２及び規制部５３を有しているが、図７（Ａ），（Ｂ）に示すように、回動部材３０が突起３８を有し、固定部４０が凹部４３、平坦部４４及び規制部４５を有していてもよい。
【００３３】
図７（Ａ）に示すように、回動部材３０の上面で貫通孔３１の外周部に、固定部４０と接触可能な突起３８が形成されている。突起３８は、回動部材３０の上面及び底面の少なくとも一方が備えていればよい。
【００３４】
図７（Ｂ）に示すように、回動部材３０と対向する固定部４０の孔４１の周辺には、突起３８と接触しない凹部４３と、突起３８と接触しつつ回動部材３０の回転を許容する平坦部４４と、突起３８と接触し回動部材３０の回転を規制する規制部４５とが形成されている。凹部４３は平坦部４４から掘り下げられ平坦部４４よりも高い位置に形成され、規制部４５は平坦部４４から垂直に突出するように形成されている。突起３８が凹部４３から平坦部４４に移動しやすいように、凹部４３と平坦部４４との接合面４６は傾斜している。図７（Ｂ）は上側の固定部４０の構成を示すが、下側の固定部４０が凹部４３、平坦部４４及び規制部４５を有していてもよい。
【００３５】
突起３８が凹部４３内にある場合には突起３８は凹部４３に接触しないので、回動部材３０は滑らかに回動する。突起３８が接合面４６に到達すると、回動部材３０及びバッテリカバー２６の開動作は一旦停止する。このとき、バッテリカバー２６は半開きであるため、バッテリ２９の脱落を防止できる。突起３８が接合面４６に到達し、さらにユーザが回動部材３０又はバッテリカバー２６を全開方向に押し込むと、突起３８が接合面４６を超えて平坦部４４に入る。突起３８は平坦部４４と接触するが、押し込む力によって回動部材３０は回転することができる。突起３８が規制部４５の一端に到達すると、回動部材３０の回転は停止する。このとき、バッテリカバー２６は全開であるので、バッテリ２９を取り出すことができる。
【００３６】
図８（Ａ）は、回動部材３０の第３変形例を示す図である。図８（Ｂ）は、固定部４０の第２変形例を示す図である。
【００３７】
図８（Ａ）に示すように、回動部材３０の貫通孔３１の周辺には、突起４２と接触しない凹部５１と、突起４２と接触しつつ回動部材３０の回転を許容する第１平坦部５２ａと、突起４２と接触しつつ回動部材３０の回転を許容する第２平坦部５２ｂと、突起４２と接触し回動部材３０の回転を規制する規制部５３とが形成されていてもよい。凹部５１は第１平坦部５２ａから掘り下げられ第１平坦部５２ａよりも低い位置に形成されている。第１平坦部５２ａは、第２平坦部５２ｂから掘り下げられ第２平坦部５２ｂよりも低い位置に形成されている。規制部５３は第２平坦部５２ｂから垂直に突出するように形成されている。突起４２が凹部５１から第１平坦部５２ａに移動しやすいように、凹部５１と第１平坦部５２ａとの接合面５４ａは傾斜している。さらに、突起４２が第１平坦部５２ａから第２平坦部５２ｂに移動しやすいように、第１平坦部５２ａと第２平坦部５２ｂとの接合面５４ｂは傾斜している。このように、回動部材３０が、突起４２と接触しつつ回動部材３０の回転を許容する複数の平坦部５２ａ，５２ｂを備えることで、半開き時のバッテリカバー２６の開く角度を調整してもよい。
【００３８】
図８（Ｂ）に示すように、回動部材３０と対向する固定部４０の孔４１の周辺部には、突起３８と接触しない凹部４３と、突起３８と接触しつつ回動部材３０の回転を許容する第１平坦部４４ａと、突起３８と接触しつつ回動部材３０の回転を許容する第２平坦部４４ｂと、突起３８と接触し回動部材３０の回転を規制する規制部４５とが形成されていてもよい。凹部４３は第１平坦部４４ａから掘り下げられ、第１平坦部４４ａよりも高い位置に形成されている。第１平坦部４４ａは、第２平坦部４４ｂから掘り下げられ、第２平坦部４４ｂよりも高い位置に形成されている。規制部４５は第２平坦部４４ｂから垂直に突出するように形成されている。突起３８が凹部４３から第１平坦部４４ａに移動しやすいように、凹部４３と第１平坦部４４ａとの接合面４６ａは傾斜している。さらに、突起３８が第１平坦部４４ａから第２平坦部４４ｂに移動しやすいように、第１平坦部４４ａと第２平坦部４４ｂとの接合面４６ｂは傾斜している。このように、固定部４０が、突起３８と接触しつつ回動部材３０の回転を許容する複数の平坦部４４ａ，４４ｂを備えることで、半開き時のバッテリカバー２６の開く角度を調整してもよい。
【００３９】
以上説明したように、本実施の形態では、バッテリカバー２６の開閉に寄与する回動部材３０が固定部４０の突起４２と接触して、バッテリカバー２６の半開き状態で開動作を一旦停止するのでバッテリ２９の脱落を防止することができる。これにより、プリンタ２１は、バッテリ２９の脱落を防止するための専用の部品を備える必要がなくなる。
【００４０】
尚、本発明は、上述した実施の形態に限定されるものではなく、その要旨を逸脱しない範囲内で種々変形して実施することが可能である。
【符号の説明】
【００４１】
２１  プリンタ
２２  筐体
２６  バッテリカバー
２９  バッテリ
３０  回動部材
３１  貫通孔
３３  軸
４０  固定部
４１  孔
３８，４２  突起
４３，５１  凹部
４４，５２  平坦部
４５，５３  規制部
【図１】
2018126976.tif 000003
【図２】
2018126976.tif 000004
【図３】
2018126976.tif 000005
【図４】
2018126976.tif 000006
【図５】
2018126976.tif 000007
【図６】
2018126976.tif 000008
【図７】
2018126976.tif 000009
【図８】
2018126976.tif 000010